(57)【要約】【課題】操作性や視認性を低下させることなく、会話中に表示内容を容易に確認することができるようにする。【解決手段】第１の筐体１０と、第１の筐体１０に対して分離・結合可能な第２の筐体１１とを有する。第１の筐体１０には、マイク３とスピーカ２とが設けられている一方、第２の筐体１１には、液晶表示装置５と操作キー群４とが設けられている。【選択図】図１
2008301056.tif 000002
【特許請求の範囲】
【請求項１】
無線通信によって他機との間で通話を行う携帯電話端末であって、
自機側の音声を集音する集音手段と、
他機側の音声を出力する放音手段と、
を有する第１の筐体と、
画像を表示する表示手段と、
外部からの操作を受け付ける操作手段と、
を有する第２の筐体と、
を有し、
前記第２の筐体は、前記第１の筐体に対して分離・結合可能であって、前記第１の筐体との間でデータ通信を行い、
前記第２の筐体が前記第１の筐体に結合された場合に、前記集音手段、前記放音手段、前記表示手段、および、前記操作手段の各々が外部に露出していることを特徴とする携帯電話端末。
【請求項２】
前記第２の筐体は、
前記表示手段を備えた表示部と、
前記操作手段を備えた操作部と、
を折りたたみ可能に有し、
前記操作部側に前記第２の筐体の重心位置が設定されていることを特徴とする請求項１に記載の携帯電話端末。
【請求項３】
前記第１の筐体および前記第２の筐体の各々は、電力を供給する電力供給手段を更に有していることを特徴とする請求項１又は２に記載の携帯電話端末。
【発明の詳細な説明】
【技術分野】
【０００１】
本発明は、他機との間で無線通信による通話を行う携帯電話端末に関する。
【背景技術】
【０００２】
従来、携帯電話端末は、マイクとスピーカと、複数のボタンと、電話番号等を表示する液晶パネルとを有しており、無線通信によって他機との間で通話を行うものである。
【０００３】
特許文献１には、腕に装着する携帯電話装置が開示されており、更には、液晶パネルを有する表示部とボタン群を有する操作部とが分離する構成が開示されている。また、特許文献２，３には、液晶パネルを有する上部筐体とボタン群を有する下部筐体とが分離可能な折りたたみ式携帯電話機が開示されている。
【０００４】
【特許文献１】特開２００３−８７３８４号公報
【特許文献２】特開２００５−２１８０４３号公報
【特許文献３】特開２００５−３１８２８８号公報
【発明の開示】
【発明が解決しようとする課題】
【０００５】
しかしながら、特許文献１乃至３のように、液晶パネルとボタン群とを分離させると、電話番号を検索する等の操作に応じた表示内容を液晶パネルで確認しにくくなり、操作性や視認性が低下するという問題がある。
【０００６】
また、従来の携帯電話端末においては、通話中に液晶パネルに表示された表示内容を確認しようとする場合に、液晶パネルを見たりボタン操作を行ったりするために、一旦、会話を中断する必要がある。その点、固定電話機においては、本体にボタン群とディスプレイとが設けられており、受話器にスピーカとマイクとが設けられているから、会話を中断することなく表示内容を確認することができていた。
【０００７】
本発明の目的は、操作性や視認性を低下させることなく、会話中に表示内容を容易に確認することが可能な携帯電話端末を提供することである。
【課題を解決するための手段及び効果】
【０００８】
本発明の携帯電話端末は、無線通信によって他機との間で通話を行う携帯電話端末であって、自機側の音声を集音する集音手段と、他機側の音声を出力する放音手段と、を有する第１の筐体と、画像を表示する表示手段と、外部からの操作を受け付ける操作手段と、を有する第２の筐体と、を有し、前記第２の筐体は、前記第１の筐体に対して分離・結合可能であって、前記第１の筐体との間でデータ通信を行い、前記第２の筐体が前記第１の筐体に結合された場合に、前記集音手段、前記放音手段、前記表示手段、および、前記操作手段の各々が外部に露出していることを特徴とする。
【０００９】
上記の構成によれば、第２の筐体を第１の筐体から分離させた場合に、表示手段と操作手段とが同じ第２の筐体に設けられているから、操作性や視認性を低下させることがない。そして、集音手段と放音手段とを有する第１の筐体を固定電話機における受話器のように用いて会話を行いながら、第２の筐体が有する操作手段を操作したり、第２の筐体が有する表示手段に表示される電話番号等を確認したりすることが可能となるから、操作性や視認性が向上し、会話中に表示内容を容易に確認することができる。特に、第２の筐体を第１の筐体から分離させれば、携帯電話端末同士のテレビ電話において、特別の装置を用いなくても、相手の顔を見ながら会話を行うことが可能となる。また、第２の筐体を第１の筐体に結合させた場合に、集音手段、放音手段、表示手段、および、操作手段の各々が外部に露出しているから、従来の携帯電話端末のように通話等を行うことができて、操作性や視認性を低下させることがない。
【００１０】
また、本発明の携帯電話端末において、前記第２の筐体は、前記表示手段を備えた表示部と、前記操作手段を備えた操作部と、を折りたたみ可能に有し、前記操作部側に前記第２の筐体の重心位置が設定されていてよい。上記の構成によれば、第２の筐体は、操作部と表示部とを重ね合わせる折りたたみ式であって、操作部側に重心位置が設定されている。このため、第２の筐体を第１の筐体から分離させて、第２の筐体をくの字に折り曲げ、表示手段の表示面が横を向くようにして操作部を机の上等に置いた場合に、操作部の重さによって表示手段の表示面が横を向いた体勢が維持される。よって、第２の筐体を置いた場合であっても、表示手段を見やすい状態でテレビ電話等の会話を行うことができる。
【００１１】
また、本発明の携帯電話端末において、前記第１の筐体および前記第２の筐体の各々は、電力を供給する電力供給手段を更に有していてよい。上記の構成によれば、第２の筐体を第１の筐体から分離させた場合に、どちらか一方から他方に電力を供給することなく、両者を駆動させることができる。
【発明を実施するための最良の形態】
【００１２】
本発明の実施の形態を図１ないし図３に基づいて以下に説明する。
【００１３】
本実施の形態にかかる携帯電話端末は、図１に示すように、無線通信によって他機との間で通話を行うものである。また、インターネットや電子メールの送受信、テレビ電話、写真撮影を行うことができるものとする。
【００１４】
（携帯電話端末１の機械的構成）
図１は、本実施の形態にかかる携帯電話端末１の外観を示す斜視図である。図１（ａ），（ｂ）に示すように、本実施の形態にかかる携帯電話端末１は、第１の筐体１０と第２の筐体１１とを有している。第１の筐体１０および第２の筐体１１の各々は折りたたみ式となっている。第１の筐体１０および第２の筐体１１の各々が折りたたまれることによって、図１（ａ）に示すように、第１の筐体１０を外側にし、第２の筐体１１を内側にして、携帯電話端末１全体が折りたたまれた状態となる。一方、第１の筐体１０および第２の筐体１１の各々が開かれることによって、図１（ｂ）に示すように、第１の筐体１０と第２の筐体１１とが重なった状態で、携帯電話端末１全体が開かれた状態となる。
【００１５】
また、図１（ｂ），（ｃ）に示すように、第２の筐体１１は、第１の筐体１０に対して分離・結合可能となっている。第１の筐体１０と第２の筐体１１との結合は、例えば両者に内蔵された磁石の磁力によって実現される。
【００１６】
図２（ａ），（ｂ），（ｃ）に示すように、第１の筐体１０は、放音手段としてのスピーカ２を正面側に有し、外部スピーカ６を裏面側に有する放音部１０ａと、送受信機８を正面側に有する中間部１０ｂと、集音手段としてのマイク３を正面側に有する集音部１０ｃとが連結されて、正面側を内側にして折りたたみ可能に構成されている。
【００１７】
一方、図２（ｄ），（ｅ），（ｆ）に示すように、第２の筐体１１は、表示手段としての液晶表示装置５およびカメラ７を正面側に有する表示部１１ａと、送受信機９を裏面側に有する中間部１１ｂと、操作手段としての操作キー群４を正面側に有する操作部１１ｃとが連結されて、正面側を内側にして折りたたみ可能に構成されている。
【００１８】
第１の筐体１０の送受信機８と、第２の筐体１１の送受信機９との間では、ブルートゥース（Ｂｌｕｅｔｏｏｔｈ）（登録商標）等の規格によるワイヤレス通信によって、データ通信が行われる。このような規格を採用することにより、第２の筐体１１が第１の筐体１０に対して分離された場合に、赤外線通信よりも好適な環境下でデータ通信が行われる。
【００１９】
ここで、図１（ｂ）に示すように、第２の筐体１１が第１の筐体１０に結合された状態において、スピーカ２、液晶表示装置５、操作キー群４、および、マイク３の各々が外部に露出している。このため、第２の筐体１１が第１の筐体１０に結合された状態であっても、通常の携帯電話端末のように通話や電子メールの送受信等を行うことが可能であり、操作性や視認性が低下することがない。
【００２０】
一方、図１（ｃ）に示すように、第２の筐体１１が第１の筐体１０から分離された状態において、第２の筐体１１には、液晶表示装置５と操作キー群４とが備わっている。このため、第２の筐体１１が第１の筐体１０から分離された状態であっても、操作キー群４の操作による入力内容を液晶表示装置５で容易に確認することができて、操作性や視認性が低下することがない。
【００２１】
また、第２の筐体１１が第１の筐体１０から分離された状態においては、第１の筐体１０を固定電話機の受話器のようにして片手で会話を行いながら、他方の手で第２の筐体１１の操作キー群４を操作したり、液晶表示装置５を見たりすることが可能である。これにより、従来の携帯電話端末のように会話を中断しなくても、電話番号を検索したり、電子メールの内容を確認したりすることが可能である。つまり、第２の筐体１１を第１の筐体１０から分離させることによって、従来の携帯電話端末に比べて操作性や視認性が向上するから、会話中に表示内容を容易に確認することができる。
【００２２】
更には、テレビ電話を行う場合に、従来の携帯電話端末であれば、イヤフォン等を外付けするなどしなければならなかったが、本実施の形態においては、第２の筐体１１を第１の筐体１０から分離させれば、第２の筐体１１のカメラ７で自分の顔を映し、液晶表示装置５で相手の顔を見ながら、第１の筐体１０を固定電話機の受話器のようにして会話を行うことが可能となる。したがって、テレビ電話を行う場合に、イヤフォン等の特別の装置が不要である。
【００２３】
また、第１の筐体１０および第２の筐体１１の各々には、電力を供給する電力供給手段としてのバッテリーが内蔵されている（図示せず）。このため、第２の筐体１１を第１の筐体１０から分離させた場合に、どちらか一方から他方に電力を供給することなく、両者を駆動させることができる。
【００２４】
特に、第２の筐体１１においては、操作部１１ｃにバッテリーが内蔵されている。これにより、バッテリーの重量によって、第２の筐体１１の重心位置が操作部１１ｃ側に設定されている。このため、第２の筐体１１をくの字に折り曲げて、操作部１１ｃの裏面側を下にして机の上等に置いた場合に、表示部１１ａの液晶表示装置５の表示面が横（水平方向寄りの方向）を向くように体勢が維持される。これにより、第２の筐体１１を置いた場合であっても、液晶表示装置５を見やすい状態でテレビ電話等の会話を行うことができる。
【００２５】
（携帯電話端末１の電気的構成）
上記のように構成された携帯電話端末１は、図３に示すように、第１の筐体１０に設けられたメイン制御回路３１と、第２の筐体１１に設けられたサブ制御回路５１とで動作が制御されている。図３に示すメイン制御回路３１は、回路基板上に配置されたマイクロコンピュータ３２を主たる構成要素とし、これに各種回路を加えて構成されている。マイクロコンピュータ３２は、予め設定されたプログラムに従って制御動作を行うメインＣＰＵ３３と、第１の筐体側記憶手段であるメインＲＯＭ３４及びメインＲＡＭ３５を有している。
【００２６】
メインＣＰＵ３３には、フリップセンサ１２からのオン／オフ信号が入力されるインターフェイス回路３６、アンテナ１３を介して各種デジタル信号の送受信を行う送受信部３７、増幅器としてのパワーアンプ３９を介して外部スピーカ６から出力させる音を制御する音源ＩＣ３８、マイク３に入力される自機側の音声を処理する入力音声処理回路４０、スピーカ２から出力される他機側の音声を処理する出力音声処理回路４１、および、第２の筐体１１との間でデータ通信を行う送受信機８に対してデータ通信を行う通信部４２が接続されている。
【００２７】
メインＣＰＵ３３は、アンテナ１３を介して送受信部３７が通話や電子メール等のデータを受信した際に、音源ＩＣ３８を制御して、パワーアンプ３９を介して外部スピーカ６から各種着信音を出力させる。また、メインＣＰＵ３３は、インターフェイス回路３６を介してフリップセンサ１２からオン／オフ信号を受信することによって、折りたたみ式の第１の筐体１０の開閉を判断する。
【００２８】
また、メインＣＰＵ３３は、外部との通話時に、アンテナ１３を介して送受信部３７が受信した他機側の音声を出力音声処理回路４１で処理させて、スピーカ２から出力させる一方、マイクに入力された自機側の音声を入力音声処理回路４０で処理させて、送受信部３７からアンテナ１３を介して外部に送信させる。また、メインＣＰＵ３３は、アンテナ１３を介して送受信部３７が受信した相手の電話番号や電子メール等の内容に係るデータを、通信部４２から送受信機８を介して第２の筐体１１に送信させる。
【００２９】
メインＲＯＭ３４やメインＲＡＭ３５には、外部スピーカ６から出力させる各種着信音のデータが記憶されている。また、メインＲＡＭ３５には、送受信部３７が送受信する電子メールの内容等が一時的に記憶される。
【００３０】
図３に示すサブ制御回路５１は、回路基板上に配置されたマイクロコンピュータ５２を主たる構成要素とし、これに各種回路を加えて構成されている。マイクロコンピュータ５２は、予め設定されたプログラムに従って制御動作を行うサブＣＰＵ５３と、第２の筐体側記憶手段であるサブＲＯＭ５４及びサブＲＡＭ５５を有している。
【００３１】
サブＣＰＵ５３には、第１の筐体１０との間でデータ通信を行う送受信機９に対してデータ通信を行う通信部５６、操作キー群４からの各種入力信号や、フリップセンサ１４からのオン／オフ信号が入力されるインターフェイス回路５７、液晶表示装置５に表示させる画像を制御する画像制御回路５８、および、カメラ７が撮像した画像データを処理する画像処理回路５９が接続されている。
【００３２】
サブＣＰＵ５３は、インターフェイス回路５７を介してフリップセンサ１４からオン／オフ信号を受信することによって、折りたたみ式の第２の筐体１１の開閉を判断する。また、サブＣＰＵ５３は、送受信機９を介して通信部５６が相手の電話番号や電子メール等の内容に係るデータを受信した際に、画像制御回路５８を制御して、液晶表示装置５に相手の電話番号や電子メール等の内容を表示させる。
【００３３】
また、サブＣＰＵ５３は、外部に電話をかけたり電子メールを送信したりする際に、インターフェイス回路５７を介して操作キー群４からの各種入力を受け付け、その入力内容を液晶表示装置５に表示させるように画像制御回路５８を制御するとともに、その入力内容に係るデータを通信部５６から送受信機９を介して第１の筐体１０に送信させる。また、サブＣＰＵ５３は、テレビ電話や写真撮影を行う際に、カメラ７を駆動させ、カメラ７が撮像した画像データを画像処理回路５９で処理させて、液晶表示装置５に表示させたり、通信部５６から送受信機９を介して画像データを第１の筐体１０に送信させる。
【００３４】
サブＲＯＭ５４やサブＲＡＭ５５には、電話番号等の液晶表示装置５に表示されるデータが記憶されている。また、サブＲＡＭ５５には、操作キー群４による入力内容等が一時的に記憶される。
【００３５】
（携帯電話端末１の動作）
上記の構成において、図１及び図２を参照して、携帯電話端末１の動作について説明する。
【００３６】
（通話）
電話がかかってきた場合、図１（ｂ）のように携帯電話端末１を開いた状態にして、電話を受ける。会話の途中で電話番号等を確認する必要が生じた場合、図１（ｃ）のように第２の筐体１１を第１の筐体１０から分離させて、第１の筐体１０で会話を続けながら、操作キー群４を操作して、液晶表示装置５に電話番号等を表示させる。このように、液晶表示装置５と操作キー群４とが第２の筐体１１に設けられているから、操作性や視認性が低下することがないとともに、会話を中断することなく液晶表示装置５における表示内容を確認することができる。もちろん、第２の筐体１１を第１の筐体１０から分離させてから電話を受けることも可能である。
【００３７】
電話をかける場合、図１（ｂ）のように第２の筐体１１が第１の筐体１０に結合された状態であれば、従来の携帯電話端末のように、操作キー群４を操作することによって、通話を開始することが可能である。第２の筐体１１が第１の筐体１０に結合された状態において、スピーカ２、液晶表示装置５、操作キー群４、および、マイク３の各々が外部に露出しているから、通常の携帯電話端末に比べて操作性や視認性が低下することがない。
【００３８】
一方、電話をかける場合、図１（ｃ）のように第２の筐体１１を第１の筐体１０から分離させた状態であれば、第１の筐体１０を受話器のように用いながら、第２の筐体１１の操作キー群４を操作することによって、通話を開始することが可能である。また、第１の筐体１０および第２の筐体１１の各々には、バッテリーが内蔵されているため、第２の筐体１１を第１の筐体１０から分離させた場合に、どちらか一方から他方に電力を供給することなく、両者を駆動させることができる。
【００３９】
（電子メールの送受信）
電子メールを送受信する場合、図１（ｃ）のように第２の筐体１１が第１の筐体１０から分離されていても、図１（ｂ）のように第２の筐体１１が第１の筐体１０に結合されていても、第２の筐体１１の操作キー群４を操作することによって、電子メールを送受信することが可能である。第１の筐体１０によって受信された電子メールの内容は、データ通信によって第２の筐体１１に送られ、液晶表示装置５に表示される。一方、第２の筐体１１の操作キー群４による入力によって作成された電子メールは、データ通信によって第１の筐体１０に送られ、第１の筐体１０から外部に発信される。
【００４０】
（テレビ電話）
テレビ電話がかかってきた場合、図１（ｃ）のように第２の筐体１１を第１の筐体１０から分離させて、操作キー群４を操作して電話を受ける。そして、カメラ７で自分を撮像させ、液晶表示装置５に表示される相手の顔等を見ながら、第１の筐体１０を固定電話機の受話器のようにして会話を行う。これにより、特別の装置を用いなくても、相手の顔を見ながらテレビ電話を行うことができる。特に、第２の筐体１１の重心位置は、操作部１１ｃに内蔵されたバッテリーの重量によって、操作部１１ｃ側に設定されているため、第２の筐体１１をくの字に折り曲げて、操作部１１ｃの裏面側を下にして机の上等に置けば、表示部１１ａの液晶表示装置５の表示面が横（水平方向寄りの方向）を向いた体勢が維持される。これにより、第２の筐体１１を置いた場合であっても、液晶表示装置５を見やすい状態でテレビ電話等の会話を行うことができる。
【００４１】
テレビ電話をかける場合、図１（ｃ）のように第２の筐体１１を第１の筐体１０から分離させる。第１の筐体１０を固定電話機の受話器のように用いるとともに、カメラ７で自分を撮像させるようにしながら、操作キー群４を操作してテレビ電話の通話を開始させる。
【００４２】
（写真撮影）
写真撮影を行う場合、図１（ｃ）のように第２の筐体１１を第１の筐体１０から分離させれば、カメラ７の移動範囲を広げることが可能となる。なお、本実施の形態において、カメラ７は第２の筐体１１の表示部１１ａの正面側に設けられているが、カメラ７が設けられている部分が回胴式であって、カメラ７を表示部１１ａの裏面側に向けることができるようにされていることが好ましい。
【００４３】
（本実施の形態の概要）
以上のように、本実施の形態の携帯電話端末１は、無線通信によって他機との間で通話を行う携帯電話端末１であって、自機側の音声を集音する集音手段（マイク３等）と、他機側の音声を出力する放音手段（スピーカ２等）と、を有する第１の筐体１０と、画像を表示する表示手段（液晶表示装置５等）と、外部からの操作を受け付ける操作手段（操作キー群４等）と、を有する第２の筐体１１と、を有し、第２の筐体１１は、第１の筐体１０に対して分離・結合可能であって、第１の筐体１０との間でデータ通信を行い、第２の筐体１１が第１の筐体１０に結合された場合に、集音手段、放音手段、表示手段、および、操作手段の各々が外部に露出している構成にされている。
【００４４】
上記の構成によれば、第２の筐体１１を第１の筐体１０から分離させた場合に、表示手段と操作手段とが同じ第２の筐体１１に設けられているから、操作性や視認性を低下させることがない。そして、集音手段と放音手段とを有する第１の筐体１０を固定電話機における受話器のように用いて会話を行いながら、第２の筐体１１が有する操作手段を操作したり、第２の筐体１１が有する表示手段に表示される電話番号等を確認したりすることが可能となるから、操作性や視認性が向上し、会話中に表示内容を容易に確認することができる。特に、第２の筐体１１を第１の筐体１０から分離させれば、携帯電話端末１同士のテレビ電話において、特別の装置を用いなくても、相手の顔を見ながら会話を行うことが可能となる。
【００４５】
また、第２の筐体１１を第１の筐体１０に結合させた場合に、集音手段、放音手段、表示手段、および、操作手段の各々が外部に露出しているから、従来の携帯電話端末のように通話等を行うことができて、操作性や視認性を低下させることがない。
【００４６】
また、本実施の形態の携帯電話端末１において、第２の筐体１１は、表示手段を備えた表示部１１ａと、操作手段を備えた操作部１１ｃと、を折りたたみ可能に有し、操作部１１ｃ側に第２の筐体１１の重心位置が設定されている構成にされている。
【００４７】
上記の構成によれば、第２の筐体１１は、操作部１１ｃと表示部１１ａとを重ね合わせる折りたたみ式であって、操作部１１ｃ側に重心位置が設定されている。このため、第２の筐体１１を第１の筐体１０から分離させて、第２の筐体１１をくの字に折り曲げ、表示手段の表示面が横を向くようにして操作部１１ｃを机の上等に置いた場合に、操作部１１ｃの重さによって表示手段の表示面が横を向いた体勢が維持される。よって、第２の筐体１１を置いた場合であっても、表示手段を見やすい状態でテレビ電話等の会話を行うことができる。
【００４８】
また、本実施の形態の携帯電話端末１において、第１の筐体１０および第２の筐体１１の各々は、電力を供給する電力供給手段（バッテリー等）を更に有している構成にされている。上記の構成によれば、第２の筐体１１を第１の筐体１０から分離させた場合に、どちらか一方から他方に電力を供給することなく、両者を駆動させることができる。
【００４９】
（本実施の形態の変形例）
以上、本発明の実施例を説明したが、具体例を例示したに過ぎず、特に本発明を限定するものではなく、具体的構成などは、適宜設計変更可能である。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【００５０】
例えば、本実施の形態において、第１の筐体１０と第２の筐体１１との間で無線によってデータ通信が行われる構成にされているが、この構成に限定されるものではなく、第１の筐体１０と第２の筐体１１とは有線によって繋がれており、有線によってデータ通信が行われる構成にされていてもよい。
【００５１】
また、本実施の形態において、第１の筐体１０および第２の筐体１１の各々が折りたたみ式の構成にされているが、この構成に限定されるものではなく、第１の筐体１０および第２の筐体１１の各々が折りたたみ不能な構成にされていてもよい。
【図面の簡単な説明】
【００５２】
【図１】携帯電話端末の斜視図。
【図２】第１の筐体および第２の筐体の三面図。
【図３】携帯電話端末の電気的構成を示す図。
【符号の説明】
【００５３】
１    携帯電話端末
２    スピーカ
３    マイク
４    操作キー群
５    液晶表示装置
１０    第１の筐体
１１    第２の筐体
【図１】
2008301056.tif 000003
【図２】
2008301056.tif 000004
【図３】
2008301056.tif 000005